(57)【要約】【課題】  支柱を強い力で確実に固定することができると共に、手摺の支柱を連結部材で連結している場合でも、支柱を大きくスライド調整できるようにした手摺取付装置及び手摺装置を提供する。【解決手段】  取付金具２５と挟持具２６とを備えており、取付金具２５は、作業台１に固定される固定部２８から連結部３０が突出されると共に連結部３０の突出端から固定部２８と平行に支持部２９が延出されて、一側が開放したコの字状の支柱挿通部３１が形成され、支持部２９に固定部２８との間で支柱挿通部３１内の支柱１８を挟持する挟持具２６が設けられ、固定部２８又は挟持具２６の少なくとも一方の支柱挟持面３７，４９に支柱１８と２点で当接するように第１当接部３９と第２当接部４０とが設けられている。【選択図】図６
2014058783.tif 000002
【特許請求の範囲】
【請求項１】
作業台（１）に固定されて手摺（１４）の支柱（１８）が長手方向にスライド自在に挿通される取付金具（２５）と、この取付金具（２５）に支柱（１８）を固定する挟持具（２６）とを備えており、
取付金具（２５）は、作業台（１）に固定される固定部（２８）から連結部（３０）が突出されると共に連結部（３０）の突出端から固定部（２８）と平行に支持部（２９）が延出されて、一側が開放したコの字状の支柱挿通部（３１）が形成され、支持部（２９）に固定部（２８）との間で支柱挿通部（３１）内の支柱（１８）を挟持する挟持具（２６）が設けられ、固定部（２８）又は挟持具（２６）の少なくとも一方の支柱挟持面（３７，４９）に支柱（１８）と２点で当接するように第１当接部（３９）と第２当接部（４０）とが設けられていることを特徴とする手摺取付装置。
【請求項２】
前記固定部（２８）の支柱挟持面（３７）がＶ字状に屈曲されて第１当接部（３９）と第２当接部（４０）とが形成されていることを特徴とする請求項１に記載の手摺取付装置。
【請求項３】
前記挟持具（２６）は、支持部（２９）に螺合したネジ部材（４６）の先端に支柱挟持面（４９）を形成した締付板（５０）を有し、締付板（５０）が二股状に屈曲されて第１当接部（３９）と第２当接部（４０）とが形成されていることを特徴とする請求項１又は２に記載の手摺取付装置。
【請求項４】
連結部（３０）には、支柱（１８）を貫通可能なロックピン（５３）が着脱自在に設けられていることを特徴とする請求項１〜３のいずれかに記載の手摺取付装置。
【請求項５】
一対の支柱（１８）を連結部材で連結した手摺（１４）を、前記請求項１〜４のいずれかに記載の手摺取付装置で取り付けた手摺装置であって、
一対の手摺取付装置の取付金具（２５）は連結部材を上下方向に挿通可能にするべく支柱挿通部（３１）の開放側が互いに対向して作業台（１）に固定されていることを特徴とする手摺装置。
【発明の詳細な説明】
【技術分野】
【０００１】
本発明は、作業台の踏み板や足場板等に手摺を取り付けるための手摺取付装置及び手摺装置に関するものである。
【背景技術】
【０００２】
手摺の支柱を作業台に長手方向（上下方向）にスライド調整自在に固定するようにした手摺取付装置及び手摺装置には、従来では、一端が開口した円筒状の支持筒体に手摺の円筒状の支柱を長手方向にスライド自在に内嵌し、支持筒体の開口端部同士をボルトと蝶ナットとで締め付けることにより、支柱に対して支持筒体を締め付けて支柱を任意のスライド位置で固定するようにしたものがある（例えば引用文献１）。
【先行技術文献】
【特許文献】
【０００３】
【特許文献１】特開２０００−１６０９７４号公報
【発明の概要】
【発明が解決しようとする課題】
【０００４】
しかし、従来の場合、内嵌した支柱に対して円筒状の支持筒体を周方向の全周から締め付けて支柱を任意のスライド位置で固定するようにしているので、支持筒体を支柱に対して強く締め付けることが困難であり、スライド自在の支柱を確実に固定するように固定力を上げ難かった。また、周方向全周からの締め付けなので、支柱と支持筒体との間の隙間がほとんどないため、支柱をスライド調整する際にスライド操作し難かった。さらに、手摺の支柱間を連結部材で連結している場合には、支柱をスライドすると連結部材が支持筒体に当接してしまうため、支持筒体に対して支柱をスライド調整する範囲にも限界があった。
【０００５】
本発明は上記問題点に鑑み、支柱を強い力で確実に固定することができると共に、手摺の支柱を連結部材で連結している場合でも、支柱を簡単かつ大きくスライド調整できるようにした手摺取付装置及び手摺装置を提供することを目的としている。
【課題を解決するための手段】
【０００６】
本発明における課題解決のための具体的手段は、次の通りである。
この技術的課題を解決する本発明の手摺取付装置の技術的手段は、作業台１に固定されて手摺１４の支柱１８が長手方向にスライド自在に挿通される取付金具２５と、この取付金具２５に支柱１８を固定する挟持具２６とを備えており、
取付金具２５は、作業台１に固定される固定部２８から連結部３０が突出されると共に連結部３０の突出端から固定部２８と平行に支持部２９が延出されて、一側が開放したコの字状の支柱挿通部３１が形成され、支持部２９に固定部２８との間で支柱挿通部３１内の支柱１８を挟持する挟持具２６が設けられ、固定部２８又は挟持具２６の少なくとも一方の支柱挟持面３７，４９に支柱１８と２点で当接するように第１当接部３９と第２当接部４０とが設けられている点にある。
【０００７】
また、本発明の他の技術的手段は、前記固定部２８の支柱挟持面３７がＶ字状に屈曲されて第１当接部３９と第２当接部４０とが形成されている点にある。
また、本発明の他の技術的手段は、前記挟持具２６は、支持部２９に螺合したネジ部材４６の先端に支柱挟持面４９を形成した締付板５０を有し、締付板５０が二股状に屈曲されて第１当接部３９と第２当接部４０とが形成されている点にある。
また、本発明の他の技術的手段は、連結部３０には、支柱１８を貫通可能なロックピン５３が着脱自在に設けられている点にある。
【０００８】
また、本発明の手摺装置の技術的手段は、一対の支柱１８を連結部材で連結した手摺１４を、前記手摺取付装置で取り付けた手摺装置であって、
一対の手摺取付装置の取付金具２５は連結部材を上下方向に挿通可能にするべく支柱挿通部３１の開放側が互いに対向して作業台１に固定されている点にある。
【発明の効果】
【０００９】
本発明によれば、固定部と挟持具との間で支柱挿通部内の支柱を挟持することによって強く固定することができる。しかも、固定部又は挟持具の少なくとも一方の支柱挟持面に支柱と２点で当接するように第１当接部と第２当接部とが設けられているので、固定部と挟持具との間で支柱を３点以上で安定して強固に挟持することができ、手摺の使用時には支柱をガタ付かないようにしっかり固定することができる。
【００１０】
また、支柱をスライド調整する際には、支柱と挟持具との間の隙間を大きくすることが可能になり、支柱がスライド操作し易くなる。しかも、手摺の支柱を連結部材で連結している場合でも、取付金具には一側が開放したコの字状の支柱挿通部が形成されているので、連結部材を支柱挿通部の開放側から突出させて連結部材を取付金具に対して上下方向に挿通可能にすることができ、これにより支柱を長手方向に簡単かつ大きくスライド調整することが可能になる。
【図面の簡単な説明】
【００１１】
【図１】本発明の第１実施形態を示す手摺取付装置を使用した手摺装置の正面図である。
【図２】同手摺装置の左側面図である。
【図３】同手摺装置の平面図である。
【図４】手摺取付装置の正面図である。
【図５】手摺取付装置の側面図である。
【図６】図１のＡ−Ａ線断面図である。
【図７】図１のＢ−Ｂ線矢視図である。
【図８】第２実施形態を示す手摺取付装置の正面図である。
【図９】同手摺取付装置の側面図である。
【図１０】同手摺取付装置の平面断面図である。
【図１１】第３実施形態を示す手摺取付装置の平面断面図である。
【発明を実施するための形態】
【００１２】
以下、本発明の実施の形態を図面に基づいて説明する。
図１〜図７は本発明の第１実施形態を示している。図１〜図３において、作業台１はアルミニウム合金により主構成され、前後左右の４本の支持脚３と前後一対の乗降脚４とを備え、４本の支持脚３の上端部間に足場板５が設けられ、一対の乗降脚４間に複数の乗降板７が階段状に取り付けられ、一対の乗降脚４と複数の乗降板７とで梯子が形成されている。
【００１３】
４本の支持脚３と一対の乗降脚４との下端部は矩形の下枠体９で連結され、下枠体９の前後左右はキャスター１０を介して設置されるようになっている。
作業台１の足場板５の前端部と後端部とに手摺装置１３がそれぞれ設けられている。各手摺装置１３は、アルミニウム合金により主構成され、手摺１４と手摺１４を作業台１に取り付けるための左右一対の手摺取付装置１５とを備える。従って、手摺１４は足場板５の前端部と後端部とに前後一対あって、それぞれ一対の手摺取付装置１５によって足場板５に取り付けられている。
【００１４】
手摺１４は、左右一対の支柱１８と、左右支柱１８の上端部間を連結する連結部材である手摺バー１９と、左右支柱１８の長手方向中途部間を連結する連結部材である中桟２０と、左右支柱１８の下部間を連結する連結部材である落下防止板２１とを備える。支柱１８及び手摺バー１９は円筒状のパイプにより構成され、中桟２０は角パイプ又は帯板により構成され、落下防止板２１は長方形の板材により構成されている。
【００１５】
図６及び図７に示すように、支柱１８の外周面に前後左右を除く４箇所に細かい凹凸が形成されてなる滑止部２３が形成され、これら滑止部２３は支柱１８の長手方向の全長に亘って形成されている。
図４〜図７において、手摺取付装置１５は、作業台１の足場板５に固定されて手摺１４の支柱１８が長手方向（上下方向）にスライド自在に挿通される取付金具２５と、この取付金具２５に支柱１８を固定する挟持具２６とを備えている。取付金具２５及び挟持具２６は手摺１４の各支柱１８に対応して設けられており、各手摺装置１３に対して左右一対
ずつあり、作業台１の足場板５の前後左右の４箇所に配置されている。
【００１６】
取付金具２５は、作業台１の足場板５に固定される固定部２８と、固定部２８に前後に対向する支持部２９と支持部２９を固定部２８に連結する連結部３０とを備えており、換言すると、固定部２８から連結部３０が突出されると共に連結部３０の突出端から固定部２８と平行に支持部２９が延出されており、固定部２８の一部と連結部３０と支持部２９とで一側が開放したコの字状の支柱挿通部３１が形成されている。支持部２９に挟持具２６が設けられ、挟持具２６により固定部２８との間で支柱挿通部３１内の支柱１８を着脱自在に挟持するようになっている。
【００１７】
固定部２８は左右両側の一対の固定片３３と固定片３３間のＶ字状に屈曲した挟持片３４とを備え、一対の固定片３３がボルトナット３５により作業台１の足場板５に固定され、挟持片３４の支持部２９側に固定部２８の支柱挟持面３７があってこれがＶ字状に屈曲されて、支柱挟持面３７に支柱１８と２点で当接するように第１当接部３９と第２当接部４０とが設けられ、第１当接部３９と第２当接部４０とは支柱１８の滑止部２３に当接するようになっている。
【００１８】
手摺装置１３における左右の取付金具２５はその支柱挿通部３１の開放側が互いに対向するように作業台１の足場板５に固定されており、手摺１４を支柱１８の長手方向にスライド（高さ調整）した際に、手摺１４の連結部材である手摺バー１９、中桟２０及び落下防止板２１が左右の取付金具２５に対して上下方向に挿通可能になっている。
前記取付金具２５の支持部２９にボルトナット４３で固定したナット部材４４が設けられている。挟持具２６はネジ部材４６を有し、ネジ部材４６は支持部２９に前後方向に貫通状に挿通されると共にナット部材４４に固定部２８に向けて出退移動自在に螺合され、ネジ部材４６の外端部に操作ノブ４７が固着されている。
【００１９】
ネジ部材４６の先端（固定部２８側の端部）に、支柱挟持面４９を形成した締付板５０が揺動自在に連結されており、操作ノブ４７を回転操作することにより、コの字状の支柱挿通部３１内（固定部２８と支持部２９との間）に配置した手摺１４の支柱１８を締付板５０を介して固定部２８に向けて押し付け可能に構成されている。締付板５０の支柱挟持面４９の中央部に係合凹部５１が形成されている。
【００２０】
取付金具２５の連結部３０には、支柱１８を貫通可能なロックピン５３が着脱自在に設けられている。ロックピン５３の一端部に操作ノブ５４が固着され、連結部３０にロックピン５３を挿通するためのピン孔５６が設けられ、図２に示すように、手摺１４の支柱１８の上端部と下端部とにロックピン５３を挿通するためのピン挿通孔５７が前記ピン孔５６に対応して設けられている。
【００２１】
前記支柱１８の下端部にストッパー体５９が設けられている。ストッパー体５９は円筒状に形成されており、支柱１８の下端部に外嵌され、ストッパー体５９と支柱１８の下端部とにボルト６０が前後方向に挿通され、その挿通端部にナット６１が螺合され、これにより、支柱１８が取付金具２５から上方へ抜脱しないように、支柱１８の下端部にストッパー体５９が着脱自在に外嵌固定されており、支柱１８を上方にスライド移動すると、ストッパー体５９が下側から取付金具２５に接当して、支柱１８の上方へのスライド移動を規制するようになっている。
【００２２】
そして、ストッパー体５９が取付金具２５に接当して支柱１８の上方へのスライド移動が規制されたときに、連結部３０のピン孔５６と支柱１８の下端部のピン挿通孔５７とが連通するようになっており、従って、このときにピン孔５６とピン挿通孔５７とにロックピン５３を挿通することによって、支柱１８を上方スライド位置でロックできるようになっている。
【００２３】
図１及び図２に示すように、支柱１８の上端部にストッパー片６３が外側方に突出状に設けられ、支柱１８が下方にスライドしたときに、ストッパー片６３が上側から取付金具２５に接当して、支柱１８のこれ以上の下方へのスライド移動を規制するようになっている。
そして、ストッパー片６３が取付金具２５に接当して支柱１８の下方へのスライド移動が規制されたときに、連結部３０のピン孔５６と支柱１８の上端部のピン挿通孔５７とが
連通するようになっており、従って、このときにピン孔５６とピン挿通孔５７とにロックピン５３を挿通することによって、支柱１８を下方スライド位置でロックできるようになっている。
【００２４】
上記第１実施形態によれば、作業台１に手摺１４を取り付ける場合、まず、作業台１の足場板５の前後左右の４箇所に、挟持具２６を組み付けた取付金具２５をボルトナット３５で取り付ける。この場合、左右の取付金具２５と左右の挟持具２６とによって１つの手摺取付装置１５が構成され、手摺取付装置１５の左右の取付金具２５はその支柱挿通部３１の開放側が互いに対向するように作業台１に固定すればよい。
【００２５】
次に、手摺１４の一対の支柱１８を、その下端部からストッパー体５９を取り外した状態で左右の取付金具２５の各支柱挿通部３１に上方から挿入し、その後支柱１８の下端部にストッパー体５９を外嵌固定すると共に、一対の支柱１８を左右の取付金具２５に対して上下方向にスライドして上下調整した後に、左右の挟持具２６の操作ノブ４７を回転操作することにより、支柱挿通部３１内に配置した手摺１４の支柱１８を締付板５０を介して固定部２８に向けて押し付けて、左右の支柱１８を固定すればよい。
【００２６】
このとき、固定部２８と挟持具２６との間で支柱挿通部３１内の支柱１８を挟持することによって支柱１８がスライド不能になるように強く固定することができる。しかも、固定部２８の支柱挟持面３７に支柱１８と２点で当接するように第１当接部３９と第２当接部４０とが設けられているので、固定部２８の支柱挟持面３７の第１当接部３９と第２当接部４０とが支柱１８の外周面の滑止部２３にそれぞれ当接し、固定部２８と挟持具２６との間で支柱１８をガタ付かないように第１当接部３９と第２当接部４０と挟持具２６の支柱挟持面４９との３点で安定して強固に挟持することができ、手摺１４の使用時には支柱１８をガタ付かないようにしっかり固定することができる。
【００２７】
また、支柱１８をスライド調整する際には、支柱１８と挟持具２６との間の隙間を大きくすることが可能になり、支柱１８がスライド操作し易くなる。しかも、手摺１４の左右の支柱１８を連結部材である手摺バー１９と中桟２０と落下防止板２１とで連結していても、取付金具２５には一側が開放したコの字状の支柱挿通部３１が形成されているので、手摺バー１９と中桟２０と落下防止板２１とを支柱挿通部３１の開放側から突出させて取付金具２５に対して上下方向に挿通することができ、左右の支柱１８を連結部材で連結しているにも拘わらず、支柱１８を長手方向に大きくスライド調整することが可能になる。
【００２８】
従って、手摺１４を大きくスライド調整することができて、任意のスライド位置に簡単かつ確実に固定することができるので、手摺１４の設置場所に障害物があったりしても、手摺１４を取り外す必要がなくなり、設置場所を選ばず手摺１４を取り付けることができる。
また、連結部３０には、支柱１８を貫通可能なロックピン５３が着脱自在に設けられているので、支柱１８を上方にスライド移動してストッパー体５９が取付金具２５に接当したときに、ピン孔５６とピン挿通孔５７とにロックピン５３を挿通することによって、支柱１８を上方スライド位置で簡単かつ確実にロックすることができる。また、支柱１８を下方へスライド移動してストッパー片６３が取付金具２５に接当したときに、ピン孔５６とピン挿通孔５７とにロックピン５３を挿通することによって、支柱１８を下方スライド位置で簡単かつ確実にロックすることができる。
【００２９】
図８〜図１０は第２実施形態を示し、取付金具２５の固定部２８は長方形の板状に形成されており、固定部２８は支柱挟持面３７に支柱１８と１点で当接するように構成されている。挟持具２６は、ネジ部材４６の先端側に連結した締付板５０が二股状に屈曲されて、挟持具２６（締付板５０）の支柱挟持面４９に支柱１８と２点で当接するように第１当接部３９と第２当接部４０とが形成され、ネジ部材４６の先端に締付板５０を抜け止めするように抜止体６７が外嵌固定されている。その他の点は前記第１実施形態の場合と同様の構成である。
【００３０】
図１１は第３実施形態を示し、前記第１実施形態の場合と同様に、固定部２８の支柱挟持面３７がＶ字状に屈曲されて、支柱挟持面３７に支柱１８と２点で当接するように第１当接部３９と第２当接部４０とが設けられている。また、前記第２実施形態の場合と同様
に、締付板５０が二股状に屈曲されて、挟持具２６（締付板５０）の支柱挟持面４９に支柱１８と２点で当接するように第１当接部３９と第２当接部４０とが形成されている。その他の点は前記第１実施形態の場合と同様の構成である。
【００３１】
なお、前記実施形態では、手摺１４は、左右一対の支柱１８と手摺バー１９と中桟２０と落下防止板２１とを備えているが、これに代え、手摺１４は１本の支柱１８のみからなるものであってもよく、この場合には、手摺装置１３は１つの手摺取付装置１５を備えるものとなる。
また、前記実施形態では、支柱１８の上端部と下端部とにロックピン５３を挿通するためのピン挿通孔５７が前記ピン孔５６に対応して設けられているが、これに代え、支柱１８の長手方向の中途部にもピン挿通孔５７を設けて、支柱１８の長手方向へのスライド移動をスライドの中途部でもロックピン５３でロックできるようにしてもよい。
【００３２】
また、前記実施形態では、手摺１４を対向する２つの手摺取付装置１５を有する手摺装置１３で支持台１の足場板５に取り付けるようにしているが、これに代え、手摺１４を１つの手摺取付装置１５で支持台１の梯子等に取り付けるようにしてもよい。
【符号の説明】
【００３３】
１      作業台
１３    手摺装置
１４    手摺
１５    手摺取付装置
１８    支柱
１９    手摺バー（連結部材）
２０    中桟（連結部材）
２１    落下防止板（連結部材）
２５    取付金具
２６    挟持具
２８    固定部
２９    支持部
３０    連結部
３１    支柱挿通部
３９    第１当接部
４０    第２当接部
【図１】
2014058783.tif 000003
【図２】
2014058783.tif 000004
【図３】
2014058783.tif 000005
【図４】
2014058783.tif 000006
【図５】
2014058783.tif 000007
【図６】
2014058783.tif 000008
【図７】
2014058783.tif 000009
【図８】
2014058783.tif 000010
【図９】
2014058783.tif 000011
【図１０】
2014058783.tif 000012
【図１１】
2014058783.tif 000013